(57)【要約】【課題】  ポータブルコンピュータ装置の提供。【解決手段】  ポータブルコンピュータ装置はキーボードを具えた上表面、下表面、前縁、後縁及び二側縁を具えたコンピュータと、情報を表示するスクリーン、上側辺、下側辺、及び二側辺を具えた表示ユニットと、長條状を呈しそれぞれが該表示ユニットの側辺の該下側辺に近い部分に枢設された第１端と該コンピュータの側縁の中央位置に近い部分に枢設された第２端を具え、内部が中空状を呈して該表示ユニット及びコンピュータに電気的に接続する電気信号伝送線を収容する二つの枢設アームと、を具えている。【選択図】        図１
2005004722.tif 000002
【特許請求の範囲】
【請求項１】
コンピュータと表示ユニット及び二つの枢設アームで構成されたポータブルコンピュータ装置であり、
該コンピュータは、上表面、下表面、前縁、後縁及び二つの側縁を具え、そのうち上表面はキーボードを具え、
該表示ユニットは、情報を表示するスクリーン、上側辺、下側辺、及び二つの側辺を具え、
二つの枢設アームは、長條状を呈し、並びに該表示ユニットの側辺の該下側辺に近い部分に枢設された第１端と、該コンピュータの側縁の中央位置に近い部分に枢設された第２端とを具え、該枢設アームの内部は中空状を呈して電気信号伝送線を収容し、該電気信号伝送線が該表示ユニット及びコンピュータを電気的に接続することを特徴とする、ポータブルコンピュータ装置。
【請求項２】
請求項１記載のポータブルコンピュータ装置において、コンピュータの上表面にカーソルポインティングデバイスが更に設けられたことを特徴とする、ポータブルコンピュータ装置。
【請求項３】
請求項２記載のポータブルコンピュータ装置において、カーソルポインティングデバイスがタッチパッドとされたことを特徴とする、ポータブルコンピュータ装置。
【請求項４】
請求項１記載のポータブルコンピュータ装置において、コンピュータの後縁に拡充スロットが設けられたことを特徴とする、ポータブルコンピュータ装置。
【請求項５】
請求項４記載のポータブルコンピュータ装置において、拡充スロットが電池スロットとされ並びに拡充電池が挿入されたことを特徴とする、ポータブルコンピュータ装置。
【請求項６】
請求項４記載のポータブルコンピュータ装置において、拡充スロットがポートレプリケーターとされ、該ポートレプリケーターが少なくとも一つの拡充コネクタを具えたことを特徴とする、ポータブルコンピュータ装置。
【請求項７】
請求項１記載のポータブルコンピュータ装置において、コンピュータの前縁に引き出しスロットが設けられたことを特徴とする、ポータブルコンピュータ装置。
【請求項８】
請求項７記載のポータブルコンピュータ装置において、引き出しスロットに引き出し式ＣＤドライブが挿入されたことを特徴とする、ポータブルコンピュータ装置。
【発明の詳細な説明】
【技術分野】
【０００１】
本発明は一種のポータブルコンピュータ装置に係り、特にスクリーン視角を調整できるポータブルコンピュータ装置に関する。
【背景技術】
【０００２】
デスクトップ型コンピュータ市場の成長が緩やかになり、伝統的なノートブック型コンピュータの市場もまた飽和状態に近くなり、このため各コンピュータメーカーは異なる態様のコンピュータを発明して消費者の注目を集めるべく努力している。
【０００３】
周知のノートブック型コンピュータは本体とスクリーンを具え、並びにスクリーンは回転軸でコンピュータの末端に枢設され、これにより開閉と携帯に便利とされているが、単一方向の開閉であるため、多くの視角を提供することはできない。
【０００４】
特許文献１と２には支持アームでコンピュータとスクリーンを連接する方法が記載され、該コンピュータは上表面、下表面、二側縁、後縁及び前縁を具え、該スクリーンは上表面、下表面、二側辺を具え、並びに二つの支持アームの一端がコンピュータの側縁の後縁近くに枢設され、もう一端が該スクリーンの側縁の中点に枢設されている。このような組合せ方式の長所は、スクリーンが直接コンピュータに枢設されないため、３６０度の回転が可能で、また、支持アームによりスクリーンの起立角度を調整でき、使用者自身が多重の視角を享受でき、使用者がスクリーンを対向するように座った別の使用者にみせる時、スクリーンを回転させることができ、コンピュータを回転させる必要がないことである。
【０００５】
しかし、このような組合せ方式も完全に欠点がない訳ではない。第１に、それは支持アームがコンピュータの側縁の後縁に接近する部分に枢設されており、この部分においてコンピュータケース中に回転軸を設置しなければならず、このため周知のコンピュータ後縁に設置された多くの拡充コネクタ（ＵＳＢ、ＶＧＡ−ｏｕｔ等）が制限を受ける。第２に、このような設計中、コンピュータの上表面にキーボードが置かれる時、キーボードをコンピュータの前縁部分近くに移動させなければならず、このため、一般のノートブック型コンピュータのパームレスト及びカーソルポインティングデバイス（例えばタッチパッド或いはトラックポイント）が空間を失い、使用者に使用上の不便をもたらした。
【０００６】
【特許文献１】米国特許第６，２６６，２３６号明細書
【特許文献２】米国特許第６，００５，７６７号明細書
【発明の開示】
【発明が解決しようとする課題】
【０００７】
本発明の主要な目的は、コンピュータ後縁の拡充性を増すことのできる一種のポータブルコンピュータ装置を提供することにある。
【０００８】
本発明のもう一つの目的は、コンピュータの上表面にパームレストとカーソルポインティングデバイスを増設できる一種のポータブルコンピュータ装置を提供することにある。
【課題を解決するための手段】
【０００９】
請求項１の発明は、コンピュータと表示ユニット及び二つの枢設アームで構成されたポータブルコンピュータ装置であり、
該コンピュータは、上表面、下表面、前縁、後縁及び二つの側縁を具え、そのうち上表面はキーボードを具え、
該表示ユニットは、情報を表示するスクリーン、上側辺、下側辺、及び二つの側辺を具え、
二つの枢設アームは、長條状を呈し、並びに該表示ユニットの側辺の該下側辺に近い部分に枢設された第１端と、該コンピュータの側縁の中央位置に近い部分に枢設された第２端とを具え、該枢設アームの内部は中空状を呈して電気信号伝送線を収容し、該電気信号伝送線が該表示ユニット及びコンピュータを電気的に接続することを特徴とする、ポータブルコンピュータ装置としている。
請求項２の発明は、請求項１記載のポータブルコンピュータ装置において、コンピュータの上表面にカーソルポインティングデバイスが更に設けられたことを特徴とする、ポータブルコンピュータ装置としている。
請求項３の発明は、請求項２記載のポータブルコンピュータ装置において、カーソルポインティングデバイスがタッチパッドとされたことを特徴とする、ポータブルコンピュータ装置としている。
請求項４の発明は、請求項１記載のポータブルコンピュータ装置において、コンピュータの後縁に拡充スロットが設けられたことを特徴とする、ポータブルコンピュータ装置としている。
請求項５の発明は、請求項４記載のポータブルコンピュータ装置において、拡充スロットが電池スロットとされ並びに拡充電池が挿入されたことを特徴とする、ポータブルコンピュータ装置としている。
請求項６の発明は、請求項４記載のポータブルコンピュータ装置において、拡充スロットがポートレプリケーターとされ、該ポートレプリケーターが少なくとも一つの拡充コネクタを具えたことを特徴とする、ポータブルコンピュータ装置としている。
請求項７の発明は、請求項１記載のポータブルコンピュータ装置において、コンピュータの前縁に引き出しスロットが設けられたことを特徴とする、ポータブルコンピュータ装置としている。
請求項８の発明は、請求項７記載のポータブルコンピュータ装置において、引き出しスロットに引き出し式ＣＤドライブが挿入されたことを特徴とする、ポータブルコンピュータ装置としている。
【発明の効果】
【００１０】
本発明は、枢設アームの一端がコンピュータの側縁の中点に枢設され、もう一端がスクリーン側辺の底端に枢設され、このような組合せ方式の長所は、コンピュータ後縁の拡充コネクタの配線を回避できることであり、またパームレストとカーソルポインティングデバイスの配置スペースを提供し、また周知の技術中のスクリーンを各種可視角度に回転させられる長所を保持することである。
【発明を実施するための最良の形態】
【００１１】
本発明によると、ポータブルコンピュータ装置はキーボードを具えた上表面、下表面、前縁、後縁及び二側縁を具えたコンピュータと、情報を表示するスクリーン、上側辺、下側辺、及び二側辺を具えた表示ユニットと、長條状を呈しそれぞれが該表示ユニットの側辺の該下側辺に近い部分に枢設された第１端と該コンピュータの側縁の中央位置に近い部分に枢設された第２端を具え、内部が中空状を呈して該表示ユニット及びコンピュータに電気的に接続する電気信号伝送線を収容する二つの枢設アームと、を具えている。
【実施例１】
【００１２】
図１は本発明の実施例の背面表示図である。本発明のポータブルコンピュータ装置はコンピュータ１と表示ユニット２及び枢設アーム３で構成されている。該コンピュータ１は、上表面１１、下表面１２、前縁１３、後縁１４及び二つの側縁１５、１６を具え、そのうち上表面１１はキーボード１１１を具えている。該表示ユニット２は情報を表示するスクリーン２１、上側辺２２、下側辺２３、及び二つの側辺２４、２５を具えている。該コンピュータ１と該表示ユニット２が該枢設アーム３で連接され、各枢設アーム３は長條状を呈し、並びに該表示ユニット２の側辺２４の該下側辺２３に近い部分に枢設された第１端３１と、該コンピュータ１の側縁１５の中央位置に近い部分に枢設された第２端３２とを具え、該枢設アーム３は内部が中空状を呈して電気信号伝送線３０を収容し、該電気信号伝送線３０が該表示ユニット２及びコンピュータ１を電気的に接続する。表示ユニット２は該枢設アーム３により該コンピュータ１の上表面１１の上に折り畳み可能であり、図３に示される如しであり、或いは異なる角度でコンピュータ１の上方に立てられる。
【００１３】
そのうち、該枢設アーム３のコンピュータ１或いは表示ユニット２への枢設の方法に制限はなく、無段枢設、有段枢設、摩擦枢設等の方式が可能であり、表示ユニットは使用者の必要な角度により調整可能で、並びに調整した角度に位置決め可能である。
【００１４】
前述したように、本発明の特徴は枢設アーム３のコンピュータ１及び表示ユニット３における枢設位置を改変することにより、コンピュータ１の空間を有効に運用できるようにする目的を達成することにある。これにより、拡充電池はコンピュータ１の後方の拡充スロットに収容される。周知の支持アームはコンピュータの側縁の後縁近い部分に枢設されたたため、その回転軸がコンピュータ後縁に設置された拡充コネクタの実行性に影響を与えた。これにより、本発明は枢設アーム３をコンピュータ１の側縁中央に枢設することで、コンピュータ１の後縁を回避し、これによりコンピュータ１の後縁に複数の拡充コネクタ１４１を設置可能とし、これによりコンピュータの拡充性を高めることができ、拡充電池を外接してコンピュータの使用時間を延長したり、或いはポートレプリケーター（ｐｏｒｔ  ｒｅｐｌｉｃａｔｏｒ）を利用して拡充コネクタ１４２、１４３、１４４を接続したり、或いは直接拡充コネクタ１４１を利用して周辺設備を接続することもでき、使用者に使用上の選択弾性を提供する。これらの拡充コネクタ（ポートレプリケーター或いはコンピュータに位置するものに関わらず）はＩＥＥＥ１３９４ソケット、ＵＳＢソケット、ＣＤドライブ信号ソケット、通信ポートソケット、パラレルポートソケット、ネットワーク信号ソケット、モデム信号ソケット、オーディオソケット、ビデオ出力ソケット及び電源ソケットで組成された群より自由に選択されうる。
【００１５】
続いて図２を参照されたい。これは本発明の実施例の正面表示図である。本図よりコンピュータ１の上表面１１がキーボード１１１を具えているほか、前縁に近い部分にカーソルポインティングデバイス１１２を具えていることが分かる。この設計の周知の技術との違いは周知の技術によると支持アームがコンピュータの側縁の後縁に近い部分に枢設されるためにコンピュータの上表面の前縁近くにキーボードしか設置できず、パームレストとカーソルポインティングデバイスを設置できない点である。このため使用者はタイピング時の手部をパームレストで支持できないため快適でなく、またカーソルを操縦しにくく、作業効率が低減する。本発明は周知の技術とは異なる枢設アーム枢設方式により、コンピュータ１の上表面の空間利用に変化を発生させ、カーソルポインティングデバイス１１２及びパームレスト１１３を加えることができるようにし、使用者の作業効率及び使用の快適感を高めることができる。本実施例中のカーソルポインティングデバイス１１２はタッチパッドとされるが、トラックボール、トラックポイント或いはその他の同じ効果を有するカーソルポインティングデバイスとされうる。
【００１６】
最後に図２に示されるように本発明のコンピュータの前縁１３には引き出しスロット１３１が設けられ、この引き出しスロット１３は使用者の使用弾性を高めるために設置されている。一般に２スピンドル機器にはこれらの引き出しスロットの設計が設置され、使用者がＣＤドライブを使用する必要がある時、引き出しスロット１３１中にＣＤドライブを挿入する。使用者がフレキシブルディスクドライブを使用する必要がある時は、ＣＤドライブを抜き取り、フレキシブルディスクドライブを挿入することができる。これは簡便さと使用弾性の折衷設計である。この引き出しスロット１３１は好ましくはホットスワップ（ｈｏｔ−ｓｗａｐ）の引き出しスロットとされ、使用者がコンピュータを切断することなく起動状態で引き出しスロット１３１にデバイスを出し入れすることができる。
【００１７】
総合すると、本発明は枢設アームの一端をコンピュータ側縁の中央に枢設し、もう一端を表示ユニットの側辺底部に枢設する方法により、コンピュータの拡充弾性、コンピュータ表面の空間利用性を高め、またホットスワップ式引き出しスロットの加入により、大幅に使用者の使用効率、快適度及び便利性を高めている。
【００１８】
以上の実施例は本発明の実施範囲を限定するものではなく、本発明に基づきなしうる細部の修飾或いは改変は、いずれも本発明の請求範囲に属するものとする。
【図面の簡単な説明】
【００１９】
【図１】本発明の実施例の背面表示図である。
【図２】本発明の実施例の正面表示図である。
【図３】本発明の実施例の折り畳み状態図である。
【符号の説明】
【００２０】
１  コンピュータ              １１  上表面          １１１  キーボード
１１２  カーソルポインティングデバイス              １１３  パームレスト
１２  下表面                  １３  前縁            １３１  引き出しスロット
１４  後縁                    １４１  拡充コネクタ  １４２  拡充コネクタ
１４３  拡充コネクタ          １４４  拡充コネクタ  １５  側縁
１６  側縁                    ２  表示ユニット      ２１  スクリーン
２２  上側辺                  ２３  下側辺          ２４  側辺
２５  側辺                    ３  枢設アーム        ３１  第１端
３２  第２端
【図１】
2005004722.tif 000003
【図２】
2005004722.tif 000004
【図３】
2005004722.tif 000005